(57)【要約】【課題】散布作業が容易で、意図しない場所に内容物が散布されることを抑制でき、広範囲にわたって内容物を均一に散布できる散布袋の提供を目的とする。【解決手段】内容物を収容する収容部１０を有し、収容部１０が、一対の側面部１２，１４と、底面１６ｃが内部側に折り込まれる底ガゼット部１６を有し、底ガゼット部１６の底面１６ｃに、収容部１０の内部に収容される内容物が通過して放散される穴１８が形成され、底ガゼット部１６の外部側に、互いに着脱自在に嵌合する雄側嵌合部２６及び雌側嵌合部２８が設けられ、それら嵌合部が嵌合されて穴１８が外部から遮断される散布袋１。【選択図】図３
2014023468.tif 000002
【特許請求の範囲】
【請求項１】
内容物を収容する収容部を有し、
前記収容部が、一対の側面部と、底面が内部側に折り込まれる底ガゼット部を有し、
前記底ガゼット部の底面に、前記収容部の内部に収容される内容物が通過して放散される穴が形成され、
前記底ガゼット部の外部側に、互いに着脱自在に嵌合する一対の嵌合部が設けられ、
前記一対の嵌合部が嵌合されて前記穴が外部から遮断されることを特徴とする散布袋。
【発明の詳細な説明】
【技術分野】
【０００１】
本発明は、散布袋に関する。
【背景技術】
【０００２】
例えば、畑等における肥料、農薬等の散布では、袋や容器に収容された肥料や農薬等の内容物を柄杓等によって散布する方法がある。しかし、該方法は内容物が収容された容器自体を持って移動する必要があるため、特に容器内に多量の内容物が収容されている場合、広範囲にわたって該内容物を散布することは困難である。また、柄杓で内容物を掬って撒く動作を頻繁に繰り返す必要があり散布作業が煩雑である。
【０００３】
そこで、内容物を収容する袋に矩形状の底面部を設け、該底面部に直径４〜８ｍｍの小孔を３〜１５個形成し、かつ該底面部の外側に底紙を貼り付けて前記小孔を閉塞した散布袋が提案されている（特許文献１）。
前記散布袋は、底面部に貼り付けられた底紙を剥がすことで、袋内の内容物が前記小孔から放散されるようになり、内容物の散布が行えるようになる。しかし、該散布袋は、一旦散布を終えた後に再度使用する場合、内容物を袋内に補充しているときに内容物が小孔から放散されてしまう。また、散布場所まで移動している間にも内容物が放散されてしまう。そのため、内容物を補充している場所や、散布場所までの経路等、散布を予定していない場所に内容物が散布される問題がある。また、複数回の散布作業によって、内容物を広範囲にわたって均一に散布することが難しい。
【先行技術文献】
【特許文献】
【０００４】
【特許文献１】特開平７−２６４９６３号公報
【発明の概要】
【発明が解決しようとする課題】
【０００５】
本発明は、散布作業が容易で、意図しない場所に内容物が散布されることを抑制でき、広範囲にわたって内容物を均一に散布できる散布袋の提供を目的とする。
【課題を解決するための手段】
【０００６】
本発明の散布袋は、内容物を収容する収容部を有し、
前記収容部が、一対の側面部と、底面が内部側に折り込まれる底ガゼット部を有し、
前記底ガゼット部の底面に、前記収容部の内部に収容される内容物が通過して放散される穴が形成され、
前記底ガゼット部の外部側に、互いに着脱自在に嵌合する一対の嵌合部が設けられ、
前記一対の嵌合部が嵌合されて前記穴が外部から遮断されることを特徴とする。
【発明の効果】
【０００７】
本発明は、散布作業が容易で、意図しない場所に内容物が散布されることを抑制でき、広範囲にわたって内容物を均一に散布できる。
【図面の簡単な説明】
【０００８】
【図１】本発明の散布袋の一例を示した斜視図である。
【図２】図１の散布袋を直線Ｉ−Ｉ’で切断した断面図である。
【図３】図２の散布袋の嵌合具を嵌合した様子を示した断面図である。
【図４】図３の散布袋の底ガゼット部を拡大した断面図である。
【図５】本発明の散布袋の他の例を示した断面図である。
【図６】図５の散布袋の底ガゼット部を拡大した断面図である。
【発明を実施するための形態】
【０００９】
本発明の散布袋は、例えば、肥料、農薬等の内容物を散布するための袋である。特に、容器に多量の内容物が収容され、該容器を持ち運ぶことが困難な場合に、該内容物の一部を移し替え、複数回にわたって広範囲に内容物を散布する用途に好適である。散布する内容物の形状は特に限定されず、粉状であってもよく、液状であってもよい。
以下、本発明の散布袋の一例を示して詳細に説明する。
【００１０】
本実施形態の散布袋１は、図１〜３に示すように、内容物を収容する収容部１０を有している。
収容部１０は、一対の側面部１２，１４を形成する矩形状の側面用フィルム材１２ａ，１４ａの間に、底ガゼット部１６を形成する矩形状の底面用フィルム材１６ａが挿入されるようにそれらが重ねられ、側面用フィルム材１２ａと側面用フィルム材１４ａの両方の側端同士と、側面用フィルム材１２ａ及び側面用フィルム材１４ａと底面用フィルム材１６ａの下端同士とがヒートシールされて袋状になっている。なお、底面用フィルム材１６ａは、図３に示すように、二つ折りにされ、その折り返し部１６ｂが上側を向くように配置されており、その両方の下端が、側面用フィルム材１２ａの下端と側面用フィルム材１４ａの下端にそれぞれ溶着されている。
収容部１０の上方は開口部１０ａが形成されており、開口部１０ａから収容部１０の内部に内容物を投入して収容できるようになっている。また、散布袋１の収容部１０は、図１及び図２に示すように、底ガゼット部１６の底面用フィルム材１６ａが内容物によって下方に押し広げられ、収容部１０の下部に底面１６ｃが形成されるようになっている。
このように、散布袋１は、収容部１０が、底面１６ｃが内部側に折り込まれる底ガゼット部１６を有する袋である。
【００１１】
収容部１０における底ガゼット部１６の底面１６ｃには、収容部１０の内部に収容される内容物が通過して放散される穴１８が複数形成されている。また、図４に示すように、底ガゼット部１６における側面部１２側の下端と側面部１４側の下端のそれぞれの外部側、すなわち底ガゼット部１６と側面部１２及び側面部１４とのヒートシール部分１０ｂ，１０ｃにおける底ガゼット部１６側の面には、雄側嵌合部２６及び雄側嵌合部２６に着脱自在に嵌合する雌側嵌合部２８を有する嵌合具２０が取り付けられている。
このように、嵌合具２０が開いている状態では、図１及び図２に示すように、収容部１０の下方において、穴１８を介して収容部１０の内部と外部が連通しており、収容部１０の内部の内容物が穴１８を通じて放散されるようになっている。一方、嵌合具２０が嵌合された状態では、図３及び図４に示すように、散布袋１の下部において、穴１８が収容部１０の外部から遮断され、収容部１０の内部の内容物が放散されないようになっている。
【００１２】
収容部１０の大きさは、収容しようとする内容物の重さや量に応じて適宜決定することができる。
例えば、畑や菜園等で肥料や農薬等を散布する場合、それら肥料や農薬等を散布したい幅と収容部１０の幅Ｌ（図１）を同等にすることで、目的の散布範囲に内容物を均一に散布することがより容易になる。
【００１３】
収容部１０を形成する側面用フィルム材１２ａ，１４ａ及び底面用フィルム材１６ａの材質は、ヒートシールにより収容部１０を形成でき、かつ嵌合具２０を溶着できるものであればよく、内面側からシーラント層と基材層を少なくとも有する積層フィルムが好ましい。
基材層としては、二軸延伸ナイロン、二軸延伸ポリプロピレン等が挙げられる。
シーラント層としては、直鎖状低密度ポリエチレン、無延伸ポリプロピレン、エチレン−酢酸ビニル共重合体、アイオノマー等が挙げられる。
また、前記積層フィルムには、バリア層等の機能層を設けてもよい。
また、側面用フィルム材１２ａ，１４ａ及び底面用フィルム材１６ａは、シーラント層のみからなる単層フィルムであってもよい。
【００１４】
底ガゼット部１６の底面１６ｃに形成される穴１８の形状及び大きさは、内容物の種類、内容物が粉状であればその形状及び大きさ等に応じて、内容物が所望の流量で通過して放散されるように適宜設定すればよい。穴１８の形状としては、例えば、円形状、長円形状、矩形状、三角形状等が挙げられる。穴１８の形状は何でもよいが、穴１８の縁から破れ難く、かつ、穿孔機の噛み合わせが多少ずれたとしても穿孔ミスが生じ難いため、円形状または長円形状であることが好ましい。
穴１８の数は、特に制限されず、内容物の種類、穴１８の形状及び大きさ等に応じて適宜設定すればよい。
また、穴１８の位置も適宜設定でき、内容物をより均一に散布しやすくなることから、底面１６ｃにおいてできるだけ均一に分布していることが好ましい。
【００１５】
嵌合具２０は、図２〜４に示すように、一対の帯状の第１の基材２２及び第２の基材２４を有し、第１の基材２２の対向面２２ａに長手方向に沿って突条の雄側嵌合部２６が設けられ、第２の基材２４の対向面２４ａに長手方向に沿って雌側嵌合部２８が設けられている。嵌合具２０は、底ガゼット部１６における側面部１２側の下端の外部側に、該下端に沿って第１の基材２２が溶着され、底ガゼット部１６における側面部１４側の下端の外部側に、該下端に沿って第２の基材２４が溶着されることで、底ガゼット部１６の底面１６ｃの外部側に取り付けられている。
【００１６】
雄側嵌合部２６は、図４に示すように、第１の基材２２の対向面２２ａから立ち上がる幹部２６ａと、幹部２６ａの先端部に設けられ、幹部２６ａよりも大きい断面略半円形状の頭部２６ｂを有している。また、雌側嵌合部２８は、第２の基材２４の対向面２４ａから断面円弧状に立ち上がる第１のアーム部２８ａと第２のアーム部２８ｂとからなり、第１のアーム部２８ａと第２のアーム部２８ｂによって凹部２８ｃが形成されている。雄側嵌合部２６と雌側嵌合部２８は、雄側嵌合部２６の頭部２６ｂを雌側嵌合部２８の凹部２８ｃに嵌め込むことで、着脱自在に嵌合できるようになっている。
雄側嵌合部２６及び雌側嵌合部２８の断面形状は、前記形状には限定されない。雄側嵌合部２６と雌側嵌合部２８を互いに着脱することで、穴１８を収容部１０の外部から遮断できるものであればよく、公知の断面形状を採用できる。
【００１７】
第１の基材２２としては、特に限定されず、公知の嵌合具の基材に使用されるものが使用でき、積層フィルムからなる基材が好ましい。積層フィルムからなる第１の基材２２としては、例えば、対向面２２ａ側から、耐熱層とヒートシール層が積層されたフィルムが挙げられる。また、第１の基材２２は、耐熱層とヒートシール層の間にバリア層を有していてもよい。
耐熱層の材質としては、二軸延伸ナイロン、二軸延伸ポリプロピレン等が挙げられる。
ヒートシール層の材質としては、直鎖状低密度ポリエチレン、無延伸ポリプロピレン、エチレン−酢酸ビニル共重合体、アイオノマー等が挙げられる。
バリア層の材質としては、ポリビニルアルコール等が挙げられる。
【００１８】
第１の基材２２は、１種の樹脂からなっていてもよく、２種以上の樹脂を含む樹脂組成物からなっていてもよい。また、必要に応じて安定剤、酸化防止剤、滑剤、帯電防止剤、着色剤等の公知の添加剤が添加されていてもよい。
また、第１の基材２２は、積層フィルムからなる基材には限定されず、単層フィルムからなる基材であってもよい。
【００１９】
第２の基材２４としては、第１の基材２２と同じ基材が挙げられ、好ましい態様も同じである。
また、雄側嵌合部２６及び雌側嵌合部２８の材質としては、例えば、第１の基材２２及び第２の基材２４で挙げた材質が採用できる。
【００２０】
嵌合具２０の取り付け位置は、雄側嵌合部２６と雌側嵌合部２８を嵌合することで、穴１８を外部から遮断し、穴１８からの内容物の放散を停止させることができる位置であればよく、底ガゼット部１６と、側面部１２及び側面部１４とのヒートシール部分であることが好ましい。具体的には、図４に示すように、底ガゼット部１６の側面部１２側の下端と、側面部１２の下端とがヒートシールされたヒートシール部分１０ｂに第１の基材２２が取り付けられ、底ガゼット部１６における側面部１４側の下端と、側面部１４の下端とがヒートシールされたヒートシール部分１０ｃに、第２の基材２４が取り付けられていることが好ましい。
底ガゼット部１６におけるヒートシール部分１０ｂ，１０ｃの近傍は、底ガゼット部１６と側面部１２，１４の間に内容物が入り込むとその部分が膨らんだ状態となる。この部分に嵌合具を取り付けると、雄側嵌合部及び雌側嵌合部が共に下方に向きやすくなる。また、内容物が入り込んだ状態の底ガゼット部１６及び側面部１２，１４と共に雄側嵌合部及び雌側嵌合部の向きを変えることも難しい。そのため、それら雄側嵌合部及び雌側嵌合部を嵌合することが困難になる。
これに対し、底ガゼット部１６と側面部１２のヒートシール部分１０ｂと、底ガゼット部１６と側面部１４のヒートシール部分１０ｃは、互いのフィルム材がヒートシールされていることから、それらフィルム材の間に内容物が入り込まないので、内容物によって膨らむことがない。このヒートシール部分１０ｂとヒートシール部分１０ｃに第１の基材２２と第２の基材２４が取り付けられていることで、雄側嵌合部２６と雌側嵌合部２８は下方を向き難く、互いに向き合う方向に向きやすい。また、ヒートシール部分１０ｂ，１０ｃと共に雄側嵌合部２６と雌側嵌合部２８の向きを変えることも容易になるため、それらを嵌合することが容易になる。
【００２１】
また、この例の収容部１０の上部側には、図１〜３に示すように、手を差し入れることができる手提げ用開口部３０，３２が形成されている。これにより、散布袋１の取り扱い性が向上し、広範囲にわたって内容物を散布することが容易になる。
手提げ用開口部３０，３２の大きさ及び形状は、それらに手を差し入れて散布袋１を持てる大きさ及び形状であれば特に限定されない。
【００２２】
散布袋１の製造方法は、特に限定されず、例えば、以下の方法が挙げられる。
矩形状の底面用フィルム材１６ａにおける両端部に、雄側嵌合部２６が設けられた第１の基材２２と、雌側嵌合部２８が設けられた第２の基材２４をそれぞれヒートシールする。その後、底面用フィルム材１６ａを雄側嵌合部２６と雌側嵌合部２８が向き合うように二つ折りにし、雄側嵌合部２６と雌側嵌合部２８が取り付けられた側が下端側となるように、矩形状の側面用フィルム材１２ａ，１４ａの間に挿入し、それらの下端を揃える。そして、それらの両方の側端をヒートシールし、側面用フィルム材１２ａ及び側面用フィルム材１４ａと底面用フィルム材１６ａの下端同士をそれぞれヒートシールして収容部１０を形成する。穴１８は、収容部１０を形成する前に底面用フィルム材１６ａに形成してもよく、収容部を形成した後に形成してもよい。手提げ用開口部３０，３２は、収容部１０を形成する前に側面用フィルム材１２ａ及び側面用フィルム材１４ａに形成してもよく、収容部１０を形成した後に形成してもよい。
【００２３】
以下、散布袋１の作用について説明する。
例えば、容器内に多量に収容された内容物を広範囲にわたって散布する場合、該容器内の内容物の一部を開口部１０ａから散布袋１の収容部１０内に移し替える。このとき、図３及び図４に示すように、嵌合具２０の雄側嵌合部２６と雌側嵌合部２８を嵌合し、穴１８を収容部１０の外部から遮断する。このように、嵌合具２０を穴１８よりも下側で嵌合し、収容部１０の下方を封じることで、収容部１０の内部に収容された内容物が穴１８を通過しても、嵌合具２０よりも上側に留まり、内容物が放散されることが防止される。そのため、内容物を移し替えているときに該内容物が散布袋１から漏れ落ちることが抑制され、前記容器の周りに内容物が散乱することが抑制される。
また、このときには、嵌合具２０が嵌合されていることで、底ガゼット部１６の底面１６ｃは平面状になっておらず、内部側に折り込まれた状態から内容物によって下方で押し潰された状態になっている。そのため、嵌合具２０が嵌合されているときには穴１８を通過する内容物の量は少ない。
【００２４】
また、内容物を散布する場所まで移動した後、図１及び図２に示すように、嵌合具２０の雄側嵌合部２６を雌側嵌合部２８から脱離させる。これにより、底ガゼット部１６の底面１６ｃが広がり、収容部１０内の内容物が穴１８を通過して放散される。このような散布袋１を用いた内容物の散布では、雄側嵌合部２６を雌側嵌合部２８から脱離させるまでは内容物が散布袋１の外に出ないので、内容物の散布場所までの経路等、意図しない場所に内容物が撒かれることを防ぐことができる。そのため、広範囲にわたる散布であっても内容物を均一に散布することができる。
また、嵌合具２０を開くまでは内容物があまり穴１８を通過しないので、嵌合具２０を開く前には、底ガゼット部１６の底面１６ｃと嵌合具２０の間に存在する内容物の量は少ない。そのため、嵌合具２０を開いた場所で内容物の放散量が局所的に多くなることも起き難く、内容物を均一に散布できる。
【００２５】
以上説明した本発明の散布袋は、収容部の底ガゼット部の底面に内容物を放散させるための穴が形成され、さらに嵌合具によって該穴が外部から遮断されるようになっているため、該嵌合具の開閉によって内容物を散布する時期を自在に制御できる。そのため、散布を意図していない場所に内容物が撒かれることを抑制しつつ、内容物を容易に広範囲にわたって均一に散布できる。
【００２６】
なお、本発明の散布袋は、前記した散布袋１には限定されない。例えば、収容部の上部側に手提げ用開口部が形成されておらず、その代わりに上部に手提げ用の把手が設けられた散布袋であってもよい。また、収容部の形状は矩形状には形成されない。
また、本発明の散布袋における嵌合具は、前記嵌合具２０には限定されず、収容部の下方において、底ガゼット部の底面に形成した穴を外部から遮断できるものであれば、公知のいかなる態様の嵌合具であってもよい。
また、底ガゼット部におけるヒートシール部分よりも折り返し部側に嵌合具が取り付けられた散布袋であってもよい。ただし、嵌合具の嵌合が容易な点から、散布袋１のように、底ガゼット部の下端のヒートシール部分に嵌合具が取り付けられていることが好ましい。
【００２７】
また、手提げ用開口部を利用して内容物を収容部内に収容する場合等は、収容部の上部側に必ずしも開口部を形成しなくてもよい。また、収容部の上部は予め封止された状態とし、収容部の上部の一部を切り取ることで開口部が形成されるようにしてもよい。また、収容部における上部の開口部近傍の内面に嵌合具を取り付け、上部の開口部を開閉自在に封じることができるようにしてもよい。
【００２８】
また、図５及び図６に例示した散布袋２であってもよい。図５及び図６における図３及び図４と同じ部分は同符号を付して説明を省略する。
散布袋２は、側面部１２、側面部１４及び底ガゼット部１６が１枚のフィルム材１０ｄで形成され、その側面部１２及び側面部１４を形成する部分の側端同士がヒートシールされて収容部１０Ａが形成されている以外は、散布袋１と同じである。
散布袋２においても、図６に示すように、底ガゼット部１６の側面部１２側の下端と、側面部１２の下端とがヒートシールされたヒートシール部分１０ｂに第１の基材２２が取り付けられ、底ガゼット部１６における側面部１４側の下端と、側面部１４の下端とがヒートシールされたヒートシール部分１０ｃに、第２の基材２４が取り付けられることが好ましい。これにより、嵌合具２０の雄側嵌合部２６と雌側嵌合部２８が下方を向き難く、またそれらの向きを変え易くなるので、それら雄側嵌合部２６と雌側嵌合部２８を容易に嵌合することができる。
【００２９】
また、本発明の散布袋は、前記第１の基材及び第２の基材を有さず、雄側嵌合部及び雌側嵌合部等の一対の嵌合部が、底ガゼット部の外部側に直接形成されたものであってもよい。例えば、雄側嵌合部と雌側嵌合部を両端部に有する底面用フィルム材を押出成形によって作成し、該底面用フィルム材によって底ガゼット部を形成した散布袋であってもよい。
【符号の説明】
【００３０】
１，２・・・散布袋、１０・・・収容部、１２，１４・・・側面部、１６・・・底ガゼット部、１６ｃ・・・底面、１８・・・穴、２０・・・嵌合具、２２・・・第１の基材、２４・・・第２の基材、２６・・・雄側嵌合部、２８・・・雌側嵌合部、３０，３２・・・手提げ用開口部。
【図１】
2014023468.tif 000003
【図２】
2014023468.tif 000004
【図３】
2014023468.tif 000005
【図４】
2014023468.tif 000006
【図５】
2014023468.tif 000007
【図６】
2014023468.tif 000008